(57)【要約】　　　（修正有）　【課題】全体の構造が極めて簡単、軽便、安定で、また組み立ては速くて容易であり、実用性を発揮できるスタンドとボードの滑り構造体を提供する。　【解決手段】二つの支管１、一つの接続ジョイント２及び一つのボードによって組み立てられて構成して、その接続ジョイントを利用して二つの支管を結合させて一体にして、各支管には滑合溝１１が成型されている。そして接続ジョイントに対応の切り欠き２１１とストッパー２１２が成型している。ボードは同時に各滑合溝、各切欠き及びストッパーとの間に嵌られて適当にストップされて脱落して落ちることがない。【選択図】図１
0003099918.tif 000002
【実用新案登録請求の範囲】
【請求項１】
　スタンド及びボードの滑り構造体であって、
　夫々の一側面の長手方向に沿って滑合溝が形成され、各滑合溝の端部に外側部が円弧状の重合部が形成された二つの支管と、
　一方に二方向に伸長する二つの自由端を有し、他方に夫々が接合端を有し、夫々の上部に切欠きを設け、前記接合部分上にストッパーを設置し、前記自由端が前記支管に重合される際に前記切り欠きが前記滑合溝と適応する接続ジョイントと、
　前記滑合溝と前記切欠き及び前記ストッパーの間に滑り合わされて脱落不能となるボードと、より構成されることを特徴とする、
　スタンド及びボードの滑り構造体。
【請求項２】
　請求項１記載のスタンド及びボードの滑り構造体において、
　前記支管に設ける前記滑合溝の開け口の一側面を円弧状に形成してなり、異なる厚みのボードの滑りに使用可能であることを特徴とする、
　スタンド及びボードの滑り構造体。
【請求項３】
　請求項１記載のスタンド及びボードの滑り構造体において、
　前記接続ジョイントを中空状に製作したことを特徴とする、
　スタンド及びボードの滑り構造体。
【請求項４】
　請求項１記載のスタンド及びボードの滑り構造体において、
　結合の安定を確保するために、前記支管と前記接続ジョイントとの接合するところに一つの引き釘を使って繋げることを特徴とする、
　スタンド及びボードの滑り構造体。
【請求項５】
　請求項４記載のスタンド及びボードの滑り構造体において、
　美観を確保するために、その引き釘は滑合溝と同じ側に設置されることを特徴とする、
　スタンド及びボードの滑り構造体。
【考案の詳細な説明】
【技術分野】
【０００１】
　本考案は、一種のスタンド及びボードの結合構造に関するものであって、特に一種のスタンドとボードとの滑り構造体に関するものである。
【背景技術】
【０００２】
　従来において、一般のスタンドとボードとの結合は、安定的な結合を求めるために、よくあるやり方はねじボルトとねじおおいを利用してボードとスタンドと繋がらせて、一つの物置スタンド又は展示スタンドにしたものであって、その連結のロックについては問題がないが、詳しく研究すると解決すべく大きい欠陥がある。主に組み立てる時にねじボルトは同時にボードとスタンドを通さないと結合できないので、ボードとスタンドに多数の穴を開けることだけではなくて、組み立てるときにねじボルトが一つ一つで正確に当たらないと順調にロックできないので、製作上及び組み立ての手数を増やすばかりである。故に、以上の欠陥に対して、理想、実用と進歩を追求する今日においては、改善の目標となる。
　よって、本案の創作者は良く考えていた上に、数年の物置スタンド（戸棚）または展示スタンド（戸棚）の販売、製作及び研究開発の経験を溜めて、何回も試作を経てから、ようやく一種のスタンドおよびボードの滑り構造体を研究開発することができた。
【考案の開示】
【考案が解決しようとする課題】
【０００３】
　前記した従来のスタンド及びボードの滑り構造体にあっては、次のような問題点がある。
　すなわち、組み立てる時にねじボルトは同時にボードとスタンドを通さないと結合できないので、ボードとスタンドに多数の穴を開けることだけではなくて、組み立てるときにねじボルトが一つ一つで正確に当たらないと順調にロックできないので、製作上及び組み立ての手数を増やすばかりである。
【課題を解決するための手段】
【０００４】
　上記のような課題を解決するために、本考案のスタンド及びボードの滑り構造体は、夫々の一側面の長手方向に沿って滑合溝が形成され、各滑合溝の端部に外側部が円弧状の重合部が形成された二つの支管と、一方に二方向に伸長する二つの自由端を有し、他方に夫々が接合端を有し、夫々の上部に切欠きを設け、前記接合部分上にストッパーを設置し、前記自由端が前記支管に重合される際に前記切り欠きが前記滑合溝と適応する接続ジョイントと、前記滑合溝と前記切欠き及び前記ストッパーの間に滑り合わされて脱落不能となるボードと、より構成されることを特徴とするスタンド及びボードの滑り構造体である。
【０００５】
　また、前記するスタンド及びボードの滑り構造体において、前記支管に設ける前記滑合溝の開け口の一側面を円弧状に形成してなり、異なる厚みのボードの滑りに使用可能であることを特徴とするスタンド及びボードの滑り構造体を使用できる。
【０００６】
　また、前記するスタンド及びボードの滑り構造体において、前記接続ジョイントを中空状に製作したことを特徴とするスタンド及びボードの滑り構造体を使用できる。
【０００７】
　また、前記するスタンド及びボードの滑り構造体において、結合の安定を確保するために、前記支管と前記接続ジョイントとの接合するところに一つの引き釘を使って繋げることを特徴とするスタンド及びボードの滑り構造体を使用できる。
【０００８】
　さらに、前記するスタンド及びボードの滑り構造体において、美観を確保するために、その引き釘は滑合溝と同じ側に設置されることを特徴とするスタンド及びボードの滑り構造体を使用できる。
【考案の効果】
【０００９】
　本考案のスタンド及びボードの滑り構造体は、上記した課題を解決するための手段により、次のような効果の少なくとも一つを得ることができる。
＜１＞先にスタンドを組み立てられて、その後にボードをその中に嵌らせて、スタンドとボードとを一体に結合させるもので、全体の構造が極めて簡単、軽便かつ安定である。さらに、組み立てやすくて容易であることで、確かに実用性を発揮することができる。
＜２＞外見からロック結合の跡が見えないので、製品の美観性を確かに発揮できる。
【考案を実施するための最良の形態】
【００１０】
　以下、図面を参照しながら本考案の実施の形態について説明する。
【００１１】
　図１、２、３を参考にして、本考案が提供するスタンドとボードの滑り構造体は大体、二つの支管１，１、一つの接続ジョイント２及び一つのボード３によって組み立てられる。そのスタンドが主に多数の支管１及び接続ジョイント２によって組み立て構成されて、その構造が同じであるため、ここで一組の結合構造だけを挙げて説明する。
　その二つの支管１，１は図１に示すように金属材料でつくった支管１の上の一側において周縁に近いところに縦方向に沿ってそれぞれ一つの対応する滑合溝１１が一体成型されて、各滑合溝１１の一側に一つの重合部１２が成型されて、またその重合部１２の外側の端に円弧状１２１を成型することである。但し注意すべきことは、この実施例に示す各支管１に設けた滑合溝１１の開け口１１１の一側が円弧状に作られると、その開け口１１１が外へ向かうほど開け角度が大きいので、異なる厚みのボード３の滑り定位に使用できる。
　その接続ジョイント２において、アルミプッシュ型の方法で製作できて、本実施例には中空状に作られて、その上に角度が９０度の延伸部２１が一体成型されて、それに各延伸部２１の上に一つの切欠き２１１を設けて、二つの切欠き２１１，２１１を相対させて、その二つの切欠き２１１，２１１が交接するところの上にまた一つのストッパー２１２がある。組み立てる時に、その接続ジョイント２は延伸部２１によって各支管１の一端にそれそれ嵌られて、各切欠き２１１，２１１がそれそれ各支管１，１に設けている滑合溝１１と対応できる。
　そのボード３は、各滑合溝１１、切欠き２１１及びストッパー２１２の間に嵌られて、その部位の共同の囲みによって制限されて安定に結合できて脱落して落ちることのないものである。
　この他に、注意すべきは、結合の安定を確保するために、各支管１，１とその接続ジョイント２との接合のところに一つの引き釘４を使って更に繋がって安定さを強めることである。
　以上に述べることは本考案における各関連構成部の装置における関係及びその構造の概略である。
　図４に示すのは、三つの支管１，１，１と二つの接続ジョイント２，２が互いに繋がって形成した結合構造を利用して、こうして各滑合溝１１と各切欠き２１１及び各ストッパー２１２によって共同で囲んで構成した軌道はボード３が順調に嵌まって定位することに使用されて定位から脱落することが絶対無いものであって、美観を確保するために、中にその引き釘４が支管１、滑合溝１１と同じ側に設置した方がベストで、言い換えれば、その引き釘４がスタンドの内側に設置されて、外からあまり見えなくて、自然により綺麗な外見を持てるものである。
【図面の簡単な説明】
【００１２】
【図１】本考案のスタンド及びボードの滑り構造体の分解斜視図。
【図２】本考案のスタンド及びボードの滑り構造体の組立斜視図。
【図３】本考案のスタンド及びボードの滑り構造体の断面図。
【図４】三つの支管と二つの接続ジョイントと互いに連結する状態の組立斜視図。
【符号の説明】
【００１３】
１・・・支管
１１・・滑合溝
１１１・開け口
１２・・重合部
１２１・円弧状端
２・・・接続ジョイント
２１・・延伸部
２１１・切欠き
２１２・ストッパー
３・・・ボード
４・・・引き釘
【図１】
0003099918.tif 000003
【図２】
0003099918.tif 000004
【図３】
0003099918.tif 000005
【図４】
0003099918.tif 000006